(57)【要約】      （修正有）【課題】柔軟性の向上を図ると共に、細線化及び軽量化が可能な多芯ケーブルを提供する。【解決手段】多芯ケーブル１は、少なくとも一部に押さえ巻きテープ層を有しており、押さえ巻テープ７の巻ピッチが、テープの幅の１倍より大きく、かつ、テープの幅の５倍以下である。【選択図】図１
2019109970.tif 000002
【特許請求の範囲】
【請求項１】
複数本の電線を撚り合わせた構成からなるコア線材、及び前記コア線材上の少なくとも一部に押さえ巻きテープ層を施した多芯ケーブルにおいて、
前記押さえ巻テープの巻ピッチが、テープの幅の１倍より大きく、かつ、テープの幅の５倍以下であることを特徴とする、多芯ケーブル。
【請求項２】
複数本の電線を撚り合わせた撚線をさらに撚り合わせた構成からなるコア線材、及び前記コア線材上の少なくとも一部に押さえ巻きテープ層を施した多芯ケーブルにおいて、前記押さえ巻テープの巻ピッチが、テープの幅の１倍より大きく、かつ、テープの幅の５倍以下であることを特徴とする、多芯ケーブル。
【請求項３】
複数本の電線、及び、複数本の電線を撚り合わせた撚線の両方を、さらに撚り合わせた構成からなるコア線材、及び前記コア線材上の少なくとも一部に押さえ巻きテープ層を施した多芯ケーブルにおいて、
前記押さえ巻テープの巻ピッチが、テープの幅の１倍より大きく、かつ、テープの幅の５倍以下であることを特徴とする、多芯ケーブル。
【請求項４】
前記多芯ケーブルにおいて、前記電線を撚り合わせるピッチが、前記電線の外径の１０〜３０倍であることを特徴とする、
請求項１〜３の何れか一項に記載の多芯ケーブル。
【請求項５】
前記多芯ケーブルにおいて、前記押さえ巻テープの幅が、前記コア線材の外径の１〜３倍であることを特徴とする、
請求項１〜４の何れか一項に記載の多芯ケーブル。
【請求項６】
前記押さえ巻きテープの外周に外部導体を施した多芯ケーブルにおいて、
前記外部導体が、中心糸の外周に導電部材を巻き付けた素線を用いた構造であることを特徴とする、
請求項１〜５の何れか一項に記載の多芯ケーブル。
【請求項７】
前記押さえ巻テープの外周にシースを施した多芯ケーブルにおいて、
前記押さえ巻テープと、シースとの間に空隙を有することを特徴とする、
請求項１〜６の何れか一項に記載の多芯ケーブル。
【請求項８】
前記外部導体の外周にシースを施した多芯ケーブルにおいて、
前記外部導体とシースとの間に空隙を有することを特徴とする、
請求項６に記載の多芯ケーブル。
【請求項９】
前記多芯ケーブルにおいて、前記電線に用いられる絶縁体の材質として、ふっ素樹脂を用いることを特徴とする、
請求項１〜８の何れか一項に記載の多芯ケーブル。
【発明の詳細な説明】
【技術分野】
【０００１】
本発明は、ヒューマノイド等の各種サービスロボットや、アシストスーツ等の可動部に用いられる多芯ケーブルに関する。
【背景技術】
【０００２】
近年、サービスロボット等の可動部に用いられる多芯ケーブルにおいては、柔軟性向上が求められている。また、ロボットの小型化に伴う省スペース化や、アシストスーツ等の人間が身に着けて用いる用途の拡大に伴い、多芯ケーブルの細線化及び軽量化も求められている。
【０００３】
柔軟性に優れる多芯ケーブルの例として、複数本の線心を撚り合わせた撚り合わせ線心の周囲に、密着して巻き付けられた押さえ巻テープを有する構造が挙げられる（例えば、特許文献１）。
押さえ巻テープは、テープが重なるように、撚り合わせ線心の周囲に巻き付けられている。テープが重なりを有する構造の場合、撚り合わせ線心に対する押さえ効果は高まるが、テープ同士の摩擦が発生し、テープを曲げる抵抗が高くなることにより、ケーブル全体の柔軟性が低下するという問題点がある。
【先行技術文献】
【特許文献】
【０００４】
【特許文献１】特開２０１７−０７９１４０号公報
【発明の概要】
【発明が解決しようとする課題】
【０００５】
本発明の課題は、柔軟性向上を図ると共に、細線化及び軽量化が可能な多芯ケーブルを提供することにある。
【課題を解決するための手段】
【０００６】
本発明の要旨は以下のとおりである。
【０００７】
（１）複数本の電線を撚り合わせた構成からなるコア線材、及びコア線材上に、少なくとも一部に押さえ巻テープ層を施した多芯ケーブルにおいて、
押さえ巻テープの巻ピッチが、テープの幅の１倍より大きく、かつ、テープの幅の５倍以下であることを特徴とする。
（２）複数本の電線を撚り合わせた撚線をさらに撚り合わせた構成からなるコア線材、及びコア線材上に、少なくとも一部に押さえ巻テープ層を施した多芯ケーブルにおいて、
押さえ巻テープの巻ピッチが、テープの幅の１倍より大きく、かつ、テープの幅の５倍以下であることを特徴とする。
（３）複数本の電線、及び、複数本の電線を撚り合わせた撚線の両方を、さらに撚り合わせた構成からなるコア線材に、少なくとも一部に押さえ巻テープ層を施した多芯ケーブルにおいて、
押さえ巻テープの巻ピッチが、テープの幅の１倍より大きく、かつ、テープの幅の５倍以下であることを特徴とする。
（４）電線を撚り合わせるピッチが、電線の外径の１０〜３０倍であることが好ましい。
（５）押さえ巻テープの幅が、コア線材の外径の１〜３倍であることが好ましい。
（６）押さえ巻きテープの外周に外部導体を施した場合、外部導体が、中心糸の外周に導電部材を巻き付けた素線を用いた構造であることが好ましい。
（７）押さえ巻きテープの外周にシースを施した場合、押さえ巻テープとシースとの間に空隙を有することが好ましい。
（８）外部導体の外周にシースを施した場合、外部導体とシースとの間に空隙を有することが好ましい。
（９）電線に用いられる絶縁体の材質として、ふっ素樹脂を用いることが好ましい。
【発明の効果】
【０００８】
本発明によれば、以下に記載する優れた効果が期待できる。
【０００９】
（１）押さえ巻テープの巻ピッチが、テープの幅の１倍より大きく、かつ、テープの幅の５倍以下であるため、テープの重なりが無く、テープ同士の摩擦及びテープを曲げる抵抗を低減できる。その結果、多芯ケーブルの屈曲及び捻回に対する柔軟性が向上する。
（２）電線を撚り合わせるピッチが、電線の外径の１０〜３０倍である場合、屈曲に対する柔軟性が向上する。
（３）押さえ巻テープの幅が、コア線材の外径の１〜３倍である場合、テープ巻の作業性の向上と、屈曲に対する柔軟性が向上する。
（４）外部導体が、中心糸の外周に導電部材を巻き付けた素線を用いた構造である場合、多芯ケーブルの柔軟性が向上し、多芯ケーブルの軽量化が可能となる。
（５）押さえ巻テープとシースとの間に、または、外部導体とシースとの間に空隙を有する場合、多芯ケーブルの屈曲及び捻回に対する柔軟性が向上する。
（６）電線に用いられる絶縁体の材質として、ふっ素樹脂を用いる場合、電線の細線化が可能となる。
（７）本発明のコア線材、押さえ巻テープ、外部導体、及びシースを組み合わせた多芯ケーブルは、各構造における相乗効果により、シールド特性の向上は勿論、柔軟性の向上や、細線化及び軽量化、全てにおいて最大の効果を奏する。
【図面の簡単な説明】
【００１０】
【図１】本発明の多芯ケーブルにおける断面図の一例を示す。
【図２】本発明の多芯ケーブルにおける断面図の他の一例を示す。
【図３】本発明における押さえ巻テープの構造の概略図を示す。
【図４】コア線材の撚りピッチを表す概略図を示す。
【図５】本発明における柔軟性試験方法を表す概略図を示す。
【発明を実施するための最良の形態】
【００１１】
以下、本発明の多芯ケーブルの一例として、基本構成について、図面を参照しながら説明する。
【００１２】
図１の多芯ケーブル１は、複数の電線４を撚り合わせたコア線材５と、介在６と、押さえ巻テープ７と、シース９とを備える。
【００１３】
電線４は、それぞれ導電性を有する材質からなる導体２と、導体を絶縁被覆する絶縁体３とで構成される。
導体２の材質は、導電性を有する材質であれば特に限定されないが、例えば、銅やアルミニウム等の金属線や、あるいは、それらに錫、鉄、亜鉛、ニッケル等を添加した合金線等を素線として用いられる。金属線の表面は、銀、錫等のメッキが施されてもよい。
導体２の構成は、特に限定されないが、屈曲に対する柔軟性、及び電線の細線化等を考慮すると、金属線を複数本束ねて撚ることにより形成される撚線構造が好ましい。
絶縁体３の材質は、電気絶縁性を有する材質であれば特に限定されないが、例えば、ふっ素樹脂やポリオレフィン等の熱可塑性樹脂や、シリコーンゴム、ふっ素ゴム、ポリ塩化ビニル（ＰＶＣ）、ポリウレタン等が挙げられる。
好ましくは、ふっ素樹脂やポリオレフィン等の熱可塑性樹脂を用いるとよい。ポリオレフィン等の熱可塑性樹脂は、柔軟性や押出成型性等で優れる。
さらに好ましくは、ふっ素樹脂であり、他と比較して、誘電率が低く、かつ、体積抵抗率が高く絶縁性も高いため、電線の細線化に適している。
【００１４】
押さえ巻テープ７は、コア線材５上に巻き付けられて構成される。本発明における押さえ巻テープの構造の概略図を図３に示す。
本発明では、押さえ巻テープ７の巻ピッチは、押さえ巻テープ７の幅の１倍より大きく、かつ、押さえ巻テープ７の幅の５倍以下であることを特徴としている。
押さえ巻テープ７の巻ピッチが、押さえ巻テープ７の幅の１倍より大きい場合、テープの重なりが無く、テープ同士の接触を最小限に抑えられる。テープ同士の摩擦及びテープを曲げる抵抗を低減できる。その結果、多芯ケーブル１の屈曲に対する柔軟性が向上する。
一方、押さえ巻テープ７の巻ピッチが、押さえ巻テープ７の幅の５倍以下である場合、コア線材５に対する押さえ効果を維持できる。
好ましくは、押さえ巻テープ７の巻ピッチは、押さえ巻テープ７の幅の１倍より大きく、かつ、押さえ巻テープ７の幅の３倍以下である。
さらに好ましくは、柔軟性と押さえ効果とを両立できる点において、押さえ巻テープ７の巻ピッチは、押さえ巻テープ７の幅の１倍より大きく、かつ、押さえ巻テープ７の幅の２倍以下である。
【００１５】
コア線材５は、複数の電線４を撚り合わせて構成される。
コア線材５のピッチは、電線４の外径の１０〜３０倍であることが好ましい。コア線材の撚りピッチを表す概略図を図４に示す。
コア線材５のピッチが、電線４の外径の１０倍以上である場合、捻回に対する柔軟性が向上する。これは、コア線材５のピッチが一定以上確保されている場合に関して、コア線材５の撚り方向と同じ方向に捻回を行っても、捻回に対する柔軟性を確保できるためである。
また、コア線材５のピッチが、電線４の外径の３０倍以下である場合、屈曲に対する柔軟性が向上する。これは、コア線材５において、ピッチにより形成される節目の数が一定以上確保されている場合に関して、屈曲に対する柔軟性を確保できるためである。ピッチの値が小さい程、ピッチにより形成される節目の数が多くなる。
さらに好ましくは、コア線材５のピッチは、電線４の外径の１０〜２０倍である。
【００１６】
図１においては、コア線材５は、３本の電線４を撚り合わせて構成されているが、特に限定されない。２本や４本以上の電線４を有する構成とすることもできる。
【００１７】
押さえ巻テープ７の巻き付け方向については、特に限定されないが、コア線材５の撚り方向と同じ方向であると、さらに屈曲及び捻回に対する柔軟性を向上でき、より好ましい。
【００１８】
押さえ巻テープ７の幅は、コア線材５の外径の１〜３倍であることが好ましい。
押さえ巻テープ７の幅が、コア線材５の外径の１倍以上の場合、コア線材５に対する押さえ効果及びテープ巻の作業性が向上する。
また、押さえ巻テープ７の幅が、コア線材５の外径の３倍以下である場合、コア線材５に対する押さえ巻テープ７の押さえ効果を保持できる。
さらに好ましくは、押さえ巻テープ７の幅は、コア線材５の外径の１〜２倍である。
【００１９】
押さえ巻テープ７の材質は、特に限定されない。例えば、ふっ素樹脂材料やポリエチレン、ナイロン、紙等が挙げられる。摩擦係数や柔軟性等を考慮すると、ふっ素樹脂材料が好ましい。
【００２０】
コア線材５と押さえ巻テープ７との間には、介在６を使用してもよい。介在６を使用せずに空隙を設けてもよい。
介在６の材質は、特に限定されない。例えば、綿材や、ポリプロピレン、ポリエステル等の各種繊維等が挙げられる。
【００２１】
本発明の多芯ケーブル１は、外周にシース９が施されてもよい。
シース９の材質は特に限定されないが、例えば、ポリ塩化ビニル、ポリウレタン、ポリエチレン、ふっ素樹脂、ポリアミド樹脂、ポリイミド樹脂、ポリエステル系エラストマー等が挙げられる。
柔軟性及び汎用性の観点で、軟質のポリ塩化ビニルが好ましい。
【００２２】
また、押さえ巻テープ７とシース９の間には、空隙（図示せず）が設けられることが好ましい。
空隙が設けられることにより、ケーブル内部への負荷が緩和され、多芯ケーブル１の屈曲及び捻回に対する柔軟性が向上する。
【００２３】
以下、本発明の多芯ケーブルの他の一例として、図２を参照しながら説明する。
図２の多芯ケーブル１は、複数の電線４を撚り合わせた撚線４´と、複数の撚線４´をさらに撚り合わせたコア線材５と、介在６と、押さえ巻テープ７と、外部導体８と、シース９とを備える。
【００２４】
撚線４´の撚り方向は、特に限定されないが、コア線材５の撚り方向と同じ方向であると、さらに屈曲及び捻回に対する柔軟性を向上でき、より好ましい。
【００２５】
図２においては、撚線４´は、２本の電線４を撚り合わせて構成されているが、特に限定されない。３本以上の電線４を有する構成とすることもできる。また、撚線４´の構成は、全て同じである必要は無い。
【００２６】
また、図１と図２と異なる態様として、コア線材５は、複数本の電線、及び、複数本の電線を撚り合わせた撚線の両方を、さらに撚り合わせた構成であってもよい(図示せず)。
すなわち、コア線材５を構成する撚線４´は、図１に示す電線４の様に単線であってもよく、また、これらの組み合わせであってもよい。例えば、単線の電線４と撚線４´（２本、３本等）の異なる構成の組み合わせでよい。
【００２７】
撚線４´の撚りピッチは、電線４の外径の１０〜３０倍であることが好ましい。
撚線４´のピッチが、電線４の外径の１０倍以上である場合、捻回に対する柔軟性が向上する。これは、撚線４´のピッチが一定以上確保されている場合に関して、撚線４´の撚り方向と同じ方向に捻回を行っても、捻回に対する柔軟性を確保できるためである。
また、撚線４´のピッチが、電線４の外径の３０倍以下である場合、屈曲に対する柔軟性が向上する。これは、撚線４´において、ピッチにより形成される節目の数が一定以上確保されている場合に関して、屈曲に対する柔軟性を確保できるためである。ピッチの値が小さい程、ピッチにより形成される節目の数が多くなる。
【００２８】
コア線材５の撚りピッチは、特に限定されないが、捻回に対する柔軟性を考慮すると、撚線４´の外径の４０倍以上であることが好ましい。
撚線４´の撚りピッチと、コア線材５の撚りピッチとの組み合わせが、多芯ケーブル１の柔軟性に影響するため、適切な組み合わせを選択する必要がある。
【００２９】
外部導体８は、押さえ巻テープ７の外周に構成される。
外部導体８の材質は、導電性を有する材質であれば特に限定されないが、例えば、銅等の金属線や、それらに錫、鉄、亜鉛、ニッケル等を添加した合金線、あるいは、中心糸の外周に導電部材を巻き付けた素線等が用いられる。
多芯ケーブル１の柔軟性、軽量化等を考慮すると、中心糸の外周に導電部材を巻き付けた素線が好ましい。
中心糸の材質は、特に限定されないが、柔軟性等を考慮すると、ポリエステル、ポリアミド等が好ましい。
導電部材の材質は、特に限定されないが、柔軟性や導電性、軽量化等を考慮すると、銅やアルミニウムが好ましい。導電部材の表面は、銀、錫等のメッキが施されてもよい。
【００３０】
外部導体８の構造については、特に限定されない。編組構造や横巻構造等から、用途に応じて、適切な構造を選択する必要がある。
シールド特性を考慮すると、編組構造が好ましい。捻回に対する柔軟性を考慮すると、横巻構造が好ましい。
【実施例】
【００３１】
以下、本発明の多芯ケーブル１（図１、図２）に関して実施例をあげ具体的に説明するが、本発明の範囲について、これらに限定されるものではない。
【００３２】
実施例１は、錫メッキ軟銅線を撚り合わせた構造の導体の外周に、ふっ素樹脂層の絶縁体を被覆して、電線を形成した。
次いで、電線を２本撚り合わせ撚線を形成した。撚線の撚りピッチは、電線の外径の１５倍である。
さらに、撚線を３本撚り合わせコア線材を形成した。コア線材の撚りピッチは、撚線の外径の４０倍である。
さらに、ふっ素樹脂製の押さえ巻テープを、コア線材上に巻き付けた。押さえ巻テープの巻ピッチは、押さえ巻テープの幅の２倍である。また、押さえ巻テープの幅は、コア線材の外径の１．６倍である。
コア線材と押さえ巻テープの隙間には、綿の介在を充填した。
さらに、押さえ巻テープの外周に、外部導体を形成した。外部導体の材質は、銅箔糸を用いており、外部導体の構造は、編組構造である。
さらに、外部導体の外周に、シースを形成した。シースの材質は、軟質のポリ塩化ビニルである。また、外部導体とシースの間には、空隙が設けられる。
実施例１の具体的な構成は、後掲の表１に示す。
【００３３】
比較例の具体的な構成は、表１に示す。実施例とは撚線及びコア線材の撚りピッチ、押さえ巻テープの構造、外部導体の材質が異なる。
【表１】
2019109970.tif 000003
【００３４】
以上のように作成した各多芯ケーブルに対して、以下に述べる試験を行い、各種性能を評価・比較した。
【００３５】
（柔軟性試験方法）
柔軟性試験方法を表す概略図を、図３（ａ）、(ｂ)に示す。
図３（ａ）は、試験実施前の概略図である。サンプルの長さは３００ｍｍ、固定間距離は１５０ｍｍであり、サンプル端から１０ｍｍの箇所に荷重を加える。
図３（ｂ）は、試験実施後の概略図である。サンプル端から１０ｍｍの箇所に荷重を加えることにより、サンプルはおおよそ重力と平行な方向に屈曲する。
重力と垂直な方向において、屈曲後のサンプルとサンプル固定端との間の距離を測定する。距離が短い程、サンプルの柔軟性が高い。
多芯ケーブルの作成工程において、各段階での構造で柔軟性試験をそれぞれ実施して、試験結果を比較する。試験結果の増加率が高い程、サンプルの柔軟性が大きく低下したことを示す。
【００３６】
実施例１及び比較例における、上記柔軟性試験の試験結果を表２に示す。なお、荷重の値が「電線及び撚線」と「その他の構造」との間で異なるのは、サンプル自体の重量の影響を、最小限とするためである。
【表２】
2019109970.tif 000004
【００３７】
表２において、実施例１と比較例との間で、柔軟性に差を有する点に関して、以下に記載する。
電線の試験結果、及び電線を２本撚り合わせた撚線の試験結果を比較すると、実施例１は９ｍｍから１２ｍｍと増加している。増加率は３３％である。一方、比較例は９ｍｍから１５ｍｍと増加している。増加率は６７％である。
試験結果の増加率が高い程、サンプルの柔軟性が大きく低下したことを示す。従って、実施例１のサンプルは、比較例のサンプルより相対的に高い柔軟性を示すことがわかる。
撚線の撚りピッチの違いが、柔軟性の向上に寄与していると考えられる。
【００３８】
また、押さえ巻テープを、コア線材上に巻き付ける前後の試験結果を比較すると、実施例１は７ｍｍから７ｍｍと変化していない。一方、比較例は８ｍｍから１３ｍｍと増加している。増加率は６３％である。
試験結果の増加率が高い程、サンプルの柔軟性が大きく低下したことを示す。従って、実施例１のサンプルは、比較例のサンプルより相対的に高い柔軟性を示すことがわかる。
テープ巻きのピッチの違い、及び押さえ巻テープの幅の違いが、柔軟性の向上に大きく寄与していると考えられる。
【００３９】
また、外部導体を形成する前後の試験結果を比較すると、実施例１は７ｍｍから８ｍｍと増加している。増加率は１４％である。一方、比較例は１３ｍｍから１８ｍｍと増加している。増加率は３８％である。
試験結果の増加率が高い程、サンプルの柔軟性が大きく低下したことを示す。従って、実施例１のサンプルは、比較例のサンプルより相対的に高い柔軟性を示すことがわかる。
外部導体の材質の違いが、柔軟性の向上に寄与していると考えられる。
【００４０】
実施例２は、撚線の撚りピッチを変更し、「実施例２−１〜２−３」と記載する。その他の構成は、実施例１と同様である。
【００４１】
実施例２−１〜２−３における、上記柔軟性試験の試験結果を表３に示す。
【表３】
2019109970.tif 000005
【００４２】
表３より、撚線の撚りピッチが大きい程、電線を撚り合わせる前後で、試験結果の増加率が高い。
試験結果の増加率が高い程、サンプルの柔軟性が大きく低下したことを示す。従って、撚線の撚りピッチが大きい程、柔軟性が低下することがわかる。
撚線の撚りピッチが、電線の外径の１０〜３０倍の範囲では、一定の柔軟性を確保できている。前述の通り、屈曲及び捻回に対する柔軟性も確保できる。
【００４３】
実施例３は、押さえ巻テープの巻ピッチを変更し、「実施例３−１〜３−４」と記載する。その他の構成は、実施例１と同様である。
【００４４】
実施例３−１〜３−４における、上記柔軟性試験の試験結果を表４に示す。
【表４】
2019109970.tif 000006
【００４５】
表４より、押さえ巻テープの巻ピッチが、１倍及び７倍である場合に、押さえ巻テープをコア線材上に巻き付ける前後で、試験結果が増加している。
試験結果の増加率が高い程、サンプルの柔軟性が大きく低下したことを示す。従って、実施例３においては、押さえ巻テープの巻ピッチが、１倍及び７倍である場合に、柔軟性が低下することがわかる。
押さえ巻テープの巻ピッチが１倍の場合は、テープ同士が接触する状態のため、テープ同士の摩擦及びテープを曲げる抵抗を低減し難い。その結果、柔軟性が低下したと考えられる。
押さえ巻テープの巻ピッチが５倍以下の場合は、押さえ巻テープにおいて、ピッチにより形成される節目の数が一定以上確保されているため、屈曲に対する柔軟性を確保できる。ピッチの値が小さい程、ピッチにより形成される節目の数が多くなる。
押さえ巻テープの巻ピッチが１倍より大きく、かつ５倍以下の場合は、テープの重なりが無いことにより、テープ同士の摩擦及びテープを曲げる抵抗を低減できる。その結果、サンプルの柔軟性の向上に寄与していると考えられる。
【００４６】
実施例４は、押さえ巻テープのテープ幅を変更し、「実施例４−１〜４−４」と記載する。その他の構成は、実施例１と同様である。
全ての実施例４において、押さえ巻テープの巻ピッチが、押さえ巻テープの幅の２倍となるように、押さえ巻テープのテープ幅の変更に応じて、押さえ巻テープの巻ピッチの調整を行った。
【００４７】
実施例４−１〜４−４における、上記柔軟性試験の試験結果を表５に示す。
【表５】
2019109970.tif 000007
【００４８】
表５より、押さえ巻テープのテープ幅が広い程、押さえ巻テープをコア線材上に巻き付ける前後で、試験結果の増加率が高い。
試験結果の増加率が低い程、サンプルの柔軟性を維持できることを示す。従って、コア線材の外径に対する押さえ巻テープのテープ幅が狭い程、柔軟性を維持できることが分かる。
【産業上の利用可能性】
【００４９】
本発明の多芯ケーブルは、柔軟性向上、屈曲に対する柔軟性の向上を図ると共に、細線化及び軽量化が可能であるため、特にサービスロボット等、可動部に用いられる同軸ケーブル等において有用であるが、用途は限定されない。
【符号の説明】
【００５０】
１      多芯ケーブル
２      導体
３      絶縁体
４      電線
４´    撚線
５      コア線材
６      介在
７      押さえ巻テープ
８      外部導体
９      シース
【図１】
2019109970.tif 000008
【図２】
2019109970.tif 000009
【図３】
2019109970.tif 000010
【図４】
2019109970.tif 000011
【図５】
2019109970.tif 000012